(57)【要約】【課題】必要な制御情報記録層に正確且つ迅速に到達して制御情報等を検出することが可能な多層情報記録媒体及び当該多層情報記録媒体に対する情報の記録又は再生を行う情報記録再生装置を提供する。【解決手段】複数の情報記録層を有する光ディスクＤＫ１において、リードインエリアＬＡにおいて、１の情報記録層Ｌ１のみ反射層ＲＦ１を備え、他の情報記録層については反射層を有さない。これにより、各情報記録層に光ビームを照射したときに得られるフォーカスエラー信号の信号レベルがフォーカスすべき情報記録層Ｌ１において最も大きくなり、情報記録層Ｌ１に到るまで反射層の存在しない情報記録層Ｌ２乃至Ｌ４において検出されるフォーカスエラー信号は、情報記録層Ｌ１に比べ相対的に小さくなり、誤検出することなく目的とする情報記録層まで正確に到達する。【選択図】      図４
2004152398.tif 000002
【特許請求の範囲】
【請求項１】
複数層の情報記録層と、
各前記情報記録層に記録される前記情報に対応する対応情報が記録される一層の対応情報記録層と、
を備えることを特徴とする多層情報記録媒体。
【請求項２】
請求項１に記載の多層情報記録媒体において、
前記対応情報は、各前記情報記録層に対する情報の記録又は再生の少なくともいずれか一方の制御を行うための制御情報であることを特徴とする多層情報記録媒体。
【請求項３】
請求項１又は２に記載の多層情報記録媒体において、
前記対応情報記録層のみに、前記対応情報を光学的に読み取るための光ビームを反射する反射層が積層されていることを特徴とする多層情報記録媒体。
【請求項４】
請求項３に記載の多層情報記録媒体において、
当該多層情報記録媒体における前記光ビームの入射側の表面から前記対応情報記録層までの距離が、一層のみの前記情報記録層を備える単層情報記録媒体における情報記録再生用の光ビームの入射側の表面から一層のみの前記情報記録層までの距離に等しいことを特徴とする多層情報記録媒体。
【請求項５】
請求項４に記載の多層情報記録媒体において、
当該多層情報記録媒体における前記光ビームの入射側の表面から前記対応情報記録層までの距離が１００μｍであることを特徴とする多層情報記録媒体。
【請求項６】
請求項３から５のいずれか一項に記載の多層情報記録媒体において、
前記情報記録層と、当該情報記録層に対して前記対応情報記録層側に隣接する調整層と、が同一面内に形成されていると共に、
前記調整層には前記隣接する情報記録層に含まれる反射層と同一の反射率を有する反射層が積層されている事を特徴とする多層情報記録媒体。
【請求項７】
前記単層情報記録媒体に含まれる前記情報記録層及び請求項４から６のいずれか一項に記載の多層情報記録媒体に含まれる各前記情報記録層に対して情報の記録又は再生のうち少なくともいずれか一方を行う情報記録再生装置において、
前記単層情報記録媒体に含まれる前記情報記録層に対する前記一方の実行に適した初期設定を行う第１設定手段と、
前記第１設定手段における初期設定後、装填されている情報記録媒体が前記単層情報記録媒体であるか、又は前記多層情報記録媒体であるか、を判定する判定手段と、
装填されている情報記録媒体が前記単層情報記録媒体であると判定されたとき、前記単層情報記録媒体に含まれる前記情報記録層に対する前記一方を直ちに開始する第１記録再生手段と、
装填されている情報記録媒体が前記多層情報記録媒体であると判定されたとき、当該多層情報記録媒体に含まれる前記情報記録層に対する前記一方の実行に適した初期設定を行う第２設定手段と、
前記第２設定手段により設定された初期設定を用いて前記多層情報記録媒体に含まれる前記情報記録層に対する前記一方を開始する第２記録再生手段と、
を備えることを特徴とする情報記録再生装置。
【請求項８】
前記単層情報記録媒体に含まれる前記情報記録層及び請求項４から６のいずれか一項に記載の多層情報記録媒体に含まれる各前記情報記録層に対して情報の記録又は再生のうち少なくともいずれか一方を行う情報記録再生方法において、
前記単層情報記録媒体に含まれる前記情報記録層に対する前記一方の実行に適した初期設定を行う第１設定工程と、
前記第１設定工程における初期設定後、装填されている情報記録媒体が前記単層情報記録媒体であるか、又は前記多層情報記録媒体であるか、を判定する判定工程と、
装填されている情報記録媒体が前記単層情報記録媒体であると判定されたとき、前記単層情報記録媒体に含まれる前記情報記録層に対する前記一方を直ちに開始する第１記録再生工程と、
装填されている情報記録媒体が前記多層情報記録媒体であると判定されたとき、当該多層情報記録媒体に含まれる前記情報記録層に対する前記一方の実行に適した初期設定を行う第２設定工程と、
前記第２設定手段により設定された初期設定を用いて前記多層情報記録媒体に含まれる前記情報記録層に対する前記一方を開始する第２記録再生工程と、
を備えることを特徴とする情報記録再生方法。
【請求項９】
前記単層情報記録媒体に含まれる前記情報記録層及び請求項４から６のいずれか一項に記載の多層情報記録媒体に含まれる各前記情報記録層に対して情報の記録又は再生のうち少なくともいずれか一方を行う情報記録再生装置に含まれるコンピュータを、
前記単層情報記録媒体に含まれる前記情報記録層に対する前記一方の実行に適した初期設定を行う第１設定手段、
前記第１設定手段における初期設定後、装填されている情報記録媒体が前記単層情報記録媒体であるか、又は前記多層情報記録媒体であるか、を判定する判定手段、
装填されている情報記録媒体が前記単層情報記録媒体であると判定されたとき、前記単層情報記録媒体に含まれる前記情報記録層に対する前記一方を直ちに開始する第１記録再生手段、
装填されている情報記録媒体が前記多層情報記録媒体であると判定されたとき、当該多層情報記録媒体に含まれる前記情報記録層に対する前記一方の実行に適した初期設定を行う第２設定手段、及び、
前記第２設定手段により設定された初期設定を用いて前記多層情報記録媒体に含まれる前記情報記録層に対する前記一方を開始する第２記録再生手段、
として機能させることを特徴とする情報記録再生用プログラム。
【請求項１０】
請求項９に記載の情報記録再生用プログラムが前記コンピュータで読取可能に記録された記録媒体。
【発明の詳細な説明】
【０００１】
【発明の属する技術分野】
本発明は、多層情報記録媒体及び多層情報記録媒体記録再生装置の技術分野に属する。
【０００２】
【従来の技術】
近年、光ディスクの分野において、一枚の光ディスクにおける記録容量の向上を目的として複数の情報記録層を一枚の光ディスク内に形成することが行われている。このとき、より具体的には、情報が記録される記録層と当該記録層に対して照射される光ビームを反射する反射層とを夫々備える情報記録層を一枚の光ディスク内に積層して形成している。
【０００３】
一方、光ディスクの構造としては、その内周側から、情報記録層に対する情報の記録又は再生を行う前に検出されうるべき種々の制御情報が記録されているいわゆるリードインエリア、上記した情報記録層が形成されているユーザデータエリア並びに当該ユーザデータエリアに対する情報の記録又は再生を終了する際に検出されるべき種々の制御情報が記録されているいわゆるリードアウトエリアが形成されるのが一般的である。そして、図１（Ａ）に示すように従来の多層光ディスクにおいては、上記した各情報記録層に対応してリードインエリアも複数の制御情報記録層により形成されていた。
【０００４】
これにより、従来のリードインエリアに記録されている制御情報等を検出する場合、最初に光ピックアップ側に最も近い制御情報記録層に光ビームの焦点位置を合わせ、そこから順に制御情報記録層をジャンプすることで目的とする制御情報等が記録されている制御情報記録層に到達して必要な制御情報等を検出する構成とされていた（例えば特許文献１参照）。
【特許文献１】
特開平１０−２８９４５０号公報
【０００５】
【発明が解決しようとする課題】
しかしながら、リードインエリアに制御情報記録層が複数形成されていると、各々の制御情報記録層においては光ビームの反射と透過を両立させる必要があるため、結果として、各制御情報記録層に光ビームを照射したときに得られるいわゆるフォーカスエラー信号の信号レベルが小さく、また図１（Ｂ）に示すように目的とする制御情報記録層に到るまでに同様のフォーカスエラー信号が複数検出されることから、目的とする制御情報記録層に正確に到達できない場合があるという問題点があった。
【０００６】
また、所望される制御情報記録層が光ビームの照射側から見て遠い位置の層にあるときは、最初に当該照射側に最も近い制御情報記録層に合焦した後にその所望される制御情報記録層まで順に合焦していく必要があり、また各制御記録層において球面収差を補正する必要があるため、目的の制御情報記録層に到達するまで無駄な時間が必要となり、結果として光ピックアップの初期化動作等に時間が掛かるという問題点もあった。
【０００７】
そこで、本発明は上記の問題点を考慮して為されたものであり、その課題の一例としては、必要な制御情報記録層に正確且つ迅速に到達して制御情報等を検出することが可能な多層情報記録媒体及び当該多層情報記録媒体に対する情報の記録又は再生を行う情報記録再生装置を提供することにある。
【０００８】
【課題を解決するための手段】
上記の課題を解決するために、請求項１に記載の多層情報記録媒体の発明は、複数層の情報記録層と、各前記情報記録層に記録される前記情報に対応する対応情報が記録される一層の対応情報記録層と、を備えることを備えて構成する。
【０００９】
上記の課題を解決するために、請求項７に記載の情報記録再生装置の発明は、前記単層情報記録媒体に含まれる前記情報記録層及び請求項４から６のいずれか一項に記載の多層情報記録媒体に含まれる各前記情報記録層に対して情報の記録又は再生のうち少なくともいずれか一方を行う情報記録再生装置において、前記単層情報記録媒体に含まれる前記情報記録層に対する前記一方の実行に適した初期設定を行う第１設定手段と、前記第１設定手段における初期設定後、装填されている情報記録媒体が前記単層情報記録媒体であるか、又は前記多層情報記録媒体であるか、を判定する判定手段と、装填されている情報記録媒体が前記単層情報記録媒体であると判定されたとき、前記単層情報記録媒体に含まれる前記情報記録層に対する前記一方を直ちに開始する第１記録再生手段と、装填されている情報記録媒体が前記多層情報記録媒体であると判定されたとき、当該多層情報記録媒体に含まれる前記情報記録層に対する前記一方の実行に適した初期設定を行う第２設定手段と、前記第２設定手段により設定された初期設定を用いて前記多層情報記録媒体に含まれる前記情報記録層に対する前記一方を開始する第２記録再生手段と、を備えることを特徴として構成する。
【００１０】
上記の課題を解決するために、請求項８に記載の情報記録再生方法の発明は、前記単層情報記録媒体に含まれる前記情報記録層及び請求項４から６のいずれか一項に記載の多層情報記録媒体に含まれる各前記情報記録層に対して情報の記録又は再生のうち少なくともいずれか一方を行う情報記録再生方法において、前記単層情報記録媒体に含まれる前記情報記録層に対する前記一方の実行に適した初期設定を行う第１設定工程と、前記第１設定工程における初期設定後、装填されている情報記録媒体が前記単層情報記録媒体であるか、又は前記多層情報記録媒体であるか、を判定する判定工程と、装填されている情報記録媒体が前記単層情報記録媒体であると判定されたとき、前記単層情報記録媒体に含まれる前記情報記録層に対する前記一方を直ちに開始する第１記録再生工程と、装填されている情報記録媒体が前記多層情報記録媒体であると判定されたとき、当該多層情報記録媒体に含まれる前記情報記録層に対する前記一方の実行に適した初期設定を行う第２設定工程と、前記第２設定手段により設定された初期設定を用いて前記多層情報記録媒体に含まれる前記情報記録層に対する前記一方を開始する第２記録再生工程と、を備えることを特徴として構成する。
【００１１】
上記の課題を解決するために、請求項９に記載の情報記録再生用プログラムの発明は、前記単層情報記録媒体に含まれる前記情報記録層及び請求項４から６のいずれか一項に記載の多層情報記録媒体に含まれる各前記情報記録層に対して情報の記録又は再生のうち少なくともいずれか一方を行う情報記録再生装置に含まれるコンピュータを、前記単層情報記録媒体に含まれる前記情報記録層に対する前記一方の実行に適した初期設定を行う第１設定手段、前記第１設定手段における初期設定後、装填されている情報記録媒体が前記単層情報記録媒体であるか、又は前記多層情報記録媒体であるか、を判定する判定手段、装填されている情報記録媒体が前記単層情報記録媒体であると判定されたとき、前記単層情報記録媒体に含まれる前記情報記録層に対する前記一方を直ちに開始する第１記録再生手段、装填されている情報記録媒体が前記多層情報記録媒体であると判定されたとき、当該多層情報記録媒体に含まれる前記情報記録層に対する前記一方の実行に適した初期設定を行う第２設定手段、及び前記第２設定手段により設定された初期設定を用いて前記多層情報記録媒体に含まれる前記情報記録層に対する前記一方を開始する第２記録再生手段、として機能させることを特徴として構成する。
【００１２】
【発明の実施の形態】
次に、本発明に好適な実施の形態について、図面に基づいて説明する。
なお、以下に説明する実施の形態は、高密度ＤＶＤ（Ｄｉｇｉｔａｌ  Ｖｅｒｓａｔｉｌｅ  Ｄｉｓｃ）である多層情報記録媒体としての片面４層の光ディスク及び当該光ディスクに対し情報を記録再生する記録再生装置についての実施の形態である。
（第１実施形態）
まず第１実施形態について説明する。
【００１３】
最初に、図２を用いて以下に説明する本実施形態に係る光ディスクの構造について説明する。ここで、図２は本実施形態に係る光ディスクＤＫ１の平面図である。
【００１４】
図２に示すように、実施形態の光ディスクＤＫ１には、その内周側から、リードインエリアＬＡと、データエリアＤＡと、が少なくとも含まれている。
【００１５】
リードインエリアＬＡには、光ディスクＤＫ１に記録されている情報の再生を開始する際に最初に読み出されるべき情報、例えば、当該ディスク情報、当該情報再生用の光ビームの強度を設定するための情報や後述するデータエリアの開始アドレス等の情報が記録される。
【００１６】
そしてデータエリアＤＡには、実際に再生されるべき情報が記録される。
【００１７】
次に、光ディスクＤＫ１のデータエリアＤＡの断面構造について図３を用いて説明する。
【００１８】
ここで、図３はデータエリアＤＡ１の半径方向の断面図である。
【００１９】
図３（Ａ）に示すように、実施形態の光ディスクＤＫ１は、基板１と、情報記録層としての第１情報記録層Ｌ１、第２情報記録層Ｌ２、第３情報記録層Ｌ３、第４情報記録層Ｌ４と、カバー層２と、により構成される４つの情報記録層を有する多層ディスクである。
【００２０】
そして、各情報記録層は、図３（Ｂ）に示すように夫々反射層と、記録層と、保護層とにより積層形成されている。
【００２１】
まず、基板１の表面形状に沿って第１情報記録層Ｌ１の反射層ＲＦ１が積層形成されている。ここで、反射層ＲＦ１は、光ディスクＤＫ１のカバー層２側から入射される光ビームＢを反射する機能を備えている。
【００２２】
次に、当該反射層ＲＦ１上には、光ディスクＤＫに記録される情報を担持する記録層ＲＣ１が、反射層ＲＦ１の表面形状に沿って積層形成されている。ここで、記録層ＲＣ１を構成する素材としては、例えば、シアニン系有機色素等が挙げられる。
【００２３】
次に、当該記録層ＲＣ１上には、空気中の水分又は外部温度の変化等から記録層ＲＣ１を保護するための保護層ＰＲ１が、記録層ＲＣ１の表面形状に沿って積層形成されている。
【００２４】
そして、当該保護層ＰＲ１上には、上記第１情報記録層Ｌ１と同様の構成を有する第２情報記録層Ｌ２、第３情報記録層Ｌ３、及び第４情報記録層Ｌ４が積層形成され、第４情報記録層の図示しない保護層上には、上記情報記録層全体を更に保護するためのカバー層２が表面形状に沿って積層されている。
【００２５】
なお、図示しない中間層が各情報記録層との間に形成されている。
このとき、当該カバー層２、保護層及び中間層は、照射される光ビームＢに対して透明となる材料により形成されている。
【００２６】
次に、リードインエリアＬＡの層構造について図４を用いて説明する。
【００２７】
リードインエリアＬＡにおいては図４（Ａ）に示すように、第１情報記録層Ｌ１についてのみ反射層ＲＦ１を備え、対応情報記録層として機能し図３（Ｂ）に示す断面構造を有するが、他の情報記録層Ｌ２乃至Ｌ４については、反射層を備えていない。
【００２８】
このため、後述の情報記録再生装置におけるリードインエリアについてのフォーカスサーボ動作を迅速に行うことが可能となる。
【００２９】
また、当該光ディスクＤＫにおける光ビームＢの入射側の表面からリードインエリアに反射層を備える情報記録層Ｌ１までの距離が、一層のみの情報記録層を備える単層ディスクにおける光ビームＢの入射側の表面から当該一層のみの情報記録層までの距離と等しくなるように設計される。当該距離は、より具体的には高密度ＤＶＤにおける単層ディスクにおける光ビームＢの入射側の表面から当該一層のみの情報記録層までの距離である１００μｍとなる。
【００３０】
次に、上記光ディスクＤＫをはじめとする多層ディスク及び単層ディスク双方について情報を記録再生可能な記録再生装置の構成について図５を用いて説明する。
【００３１】
図５は、実施形態に係る情報記録再生装置の概要構成を示すブロック図である。
【００３２】
図５に示すように、実施形態の情報記録再生装置ＳＰは、第１記録再生手段及び第２記録再生手段としての光ピックアップ１１と、ＲＦアンプ１２と、デコーダ１３と、第１設定手段、第２設定手段及び判定手段としてのＣＰＵ１４と、レーザパワーコントローラ１５と、自動電力制御回路（ＡＰＣ：Ａｕｔｏｍａｔｉｃ  Ｐｏｗｅｒ  Ｃｏｎｔｒｏｌ）１６と、サーボコントローラ１７と、ドライバ１８と、アクチュエータ１９と、入力部２０と、を含んで構成される。
【００３３】
光ピックアップ１１は、光ビームＢを光ディスクＤＫ１におけるいずれかの再生層上に集光するための対物レンズ及び光ディスクＤＫ１からの反射光に対して非点収差を与える円筒レンズ等を含み、光ディスクＤＫ１に対して上記光ビームＢを照射するとともに、光ディスクＤＫ１からのそれぞれの光ビームＢの反射光を受光して、受光した反射光を電気信号に変換して出力する。
【００３４】
ＲＦアンプ１２は、光ピックアップ１１から出力された電気信号よりＲＦ信号、フォーカスエラー信号及びトラッキングエラー信号、フロントモニタ信号を生成すると共にこれを増幅する。
【００３５】
デコーダ１３は、増幅されたＲＦ信号をデコードして記録情報に対応する再生信号を生成し、出力する。
【００３６】
ＣＰＵ１４は、フォーカスエラー信号及びトラッキングエラー信号に基づいて、サーボコントローラ１７との間でコントロール信号の授受を行うことにより、フォーカス及びトラッキング動作の制御を行う。
【００３７】
また、ＣＰＵ１４は、フロントモニタ信号に基づいてレーザパワーコントローラ１５との間でコントロール信号の授受を行うことにより、光ビームＢのレーザパワーの制御を行う。
【００３８】
サーボコントローラ１７は、フォーカスドライブ信号及びトラッキングドライブ信号を生成しドライバ１８へ出力する。
【００３９】
レーザパワーコントローラ１５は、レーザパワー信号を生成しＡＰＣ１６を通じて光ビームＢのレーザパワー調整を行う。すなわち、ＡＰＣ１６はフロントモニタ信号が基準レベルに等しくなるように制御信号を発生する。フロントモニタ信号が基準レベルより低い場合には図示しないレーザ素子に対する駆動信号レベルを増加させ、フロントモニタ信号が基準レベルより高い場合には図示しないレーザ素子に対する駆動信号レベルを低下させる。
【００４０】
アクチュエータ１９は、サーボコントローラ１７で生成され、ドライバ１８で増幅されたドライブ信号に基づいて、光ピックアップ１１に含まれる上記対物レンズを光ディスクＤＫ１の情報記録層に対して垂直方向及び水平方向に駆動し、光ビームＢにおけるフォーカスサーボ動作及びトラッキングサーボ動作を行う。
【００４１】
なお入力部２０は、ＣＰＵ１４に対して必要な情報を外部から入力するために用いられる。
【００４２】
次に実施形態に係る光ディスクＤＫ１のリードインエリアＬＡへの情報の読み取り動作について図６のフローチャートを用いて説明する。
【００４３】
まず、情報記録再生装置ＳＰに記録再生すべきディスクが装着されると、ＣＰＵ１４は、レーザパワーコントローラ１５及びサーボコントローラ１７を制御して光ビームＢのレーザパワー及び各種ゲイン設定（球面収差補正位置）をあらかじめ記憶されているシングルレイヤ（単層ディスク）モードに初期設定する（ステップＳ１０）。
【００４４】
設定後、ＣＰＵ１４の制御によりサーボコントローラ１７はアクチュエータ１９を駆動し光ピックアップ１１から照射される光ビームＢを装着されているディスクＤＫ１のリードインエリアＬＡにフォーカスする（ステップＳ１１）。
【００４５】
この際、リードインエリアＬＡにおいて反射層が情報記録層Ｌ１にのみ存在することから、図４（Ｂ）に示すように、各情報記録層に光ビームを照射したときに得られるいわゆるフォーカスエラー信号の信号レベルがフォーカスすべき情報記録層Ｌ１において最も大きくなり、情報記録層Ｌ１に到るまで反射層の存在しない情報記録層Ｌ２乃至Ｌ４において検出されるフォーカスエラー信号は、情報記録層Ｌ１に比べ非常に小さくなる。
【００４６】
光ピックアップ１は所望する情報をフォーカスした情報記録層Ｌ１におけるリードインエリアＬＡの情報を読み出し、ＣＰＵ１４はこれを取得する（ステップＳ１２）。ここで読み出される情報としては、ディスクの情報記録層の数（層数）、メディアの種類、ストラテジパターン、適正レーザパワー及び著作権情報等が挙げられる。
【００４７】
ＣＰＵ１４は、取得された情報から、装着されているディスクが多層ディスクであるか否か判定する（ステップＳ１３）。
【００４８】
ステップＳ１３において、装着されているディスクが多層ディスクでないと判定された場合には（ステップＳ１３、Ｎｏ）、装着されているディスクは単層ディスクであるため、あらかじめステップＳ１０で設定してある初期設定のもとで情報の記録再生を行うことが可能であるため、そのまま光ピックアップ１１はユーザデータエリアＤＡにサーチ動作を行い、所望する記録再生動作を開始する（ステップＳ１５）。
【００４９】
ステップＳ１３において、装着されているディスクが多層ディスクであると判定された場合には（ステップＳ１３、Ｙｅｓ）、装着されているディスクは多層ディスクであるため、ＣＰＵ１４は、当該多層ディスクの記録再生に最適なレーザパワーコントローラ１５及びサーボコントローラ１７を制御して、光ビームＢの適正なレーザパワー及びサーボゲインの設定を行う（ステップＳ１５）。
【００５０】
設定後、光ピックアップ１はデータエリアＤＡにサーチ動作を行い、所望する記録再生動作を開始する（ステップＳ１６）。
【００５１】
以上のように、本実施形態に係る光ディスクＤＫ１が装着されている場合にあっては、リードインエリアＬＡにおいて反射層が情報記録層Ｌ１にのみ存在することから、上述のとおり、各情報記録層に光ビームを照射したときに得られるいわゆるフォーカスエラー信号の信号レベルがフォーカスすべき情報記録層Ｌ１において最も大きくなり、情報記録層Ｌ１に到るまで反射層の存在しない情報記録層Ｌ２乃至Ｌ４において検出されるフォーカスエラー信号は、情報記録層Ｌ１に比べ非常に小さくなり、誤検出することなく目的とする情報記録層まで正確に到達できることとなる。
【００５２】
また、所望される情報記録層が、本実施形態の光ディスクＤＫのように、光ビームの照射側から見て遠い位置にあるときにおいて、従来当該情報記録層に到達するまでに必要とされていた時間を省略することができるため、光ピックアップの初期化動作等の時間の短縮が可能となる。
【００５３】
このように、本実施形態の光ディスク及び情報記録再生装置によれば、リードインエリアに反射層を備えた情報記録層が１面のみであるため、必要な情報記録層に正確且つ迅速に到達して制御情報等を検出することが可能となる。
【００５４】
また、情報記録再生装置においては、あらかじめ単層ディスクの記録再生に適した初期設定を行い、その後ディスクの種別を判定し、それが単層ディスクであったときそのまま情報の記録又は再生を開始し、多層ディスクであったときは再度初期設定を行った後に当該多層ディスクに対する情報の記録又は再生を開始するので、当該光ディスクＤＫにおける光ビームＢの入射側の表面からリードインエリアに反射層を備える情報記録層Ｌ１までの距離が、一層のみの情報記録層を備える単層ディスクにおける光ビームＢの入射側の表面から当該一層のみの情報記録層までの距離と同じであることと相まって、再生するディスクが単層ディスクであっても多層ディスクであっても、設定をディスクの種類によって変えるといった不要な設定処理を経ずして、リードインエリア情報を迅速に読み出すことが可能となる。
【００５５】
なお、本実施形態においては多層ディスクとして４層の情報記録層を備える光ディスクについて説明したが、これに限らず、２層以上の情報記録層を備える光ディスクに対して適用することが可能である。例えば、５層の情報記録層を有する光ディスクにおいて、レーザ照射面から５番目の情報記録層についてのみリードインエリアに反射層を備える構成も可能であり、すなわち、リードインエリア領域には一層のみ反射層を備えるものであれば同様の効果が得られる。
【００５６】
このとき、フォーカスサーボ制御動作に要する時間短縮の効果は、層数の多い光ディスクであるほど顕著な効果を奏することとなる。
【００５７】
また、光ディスクにおける光ビームの入射側の表面からリードインエリアに反射層を備える情報記録層までの距離は１００μｍに限るものでないことはもちろんである。
【００５８】
さらに、光ビームがディスクのカバー層側から入射され、情報を読み出す構成をとっているが、これに限らず、ディスクの基板側から光ビームが入射する構成も可能である。
【００５９】
また、上記の実施形態では光ディスクに対して情報を記録再生する場合について説明したが、これ以外にも、光ビームを用いて情報の記録再生を行うものであれば、例えば、テープ状の記録媒体に対して適用することも可能である。
（第２実施形態）
次に第２実施形態に係る光ディスクについて図７を用いて説明する。図７は第２実施形態の光ディスクの断面図である。なお本実施形態における光ディスクはリードインエリアとデータエリアとの間にダミー領域としての調整層を同一平面上に設けたことを除き、上記第１実施形態と同様の構成であり、また本実施形態における光ディスクに対し記録再生する記録再生装置についても同様であるため説明は省略する。
【００６０】
図７に示すように、光ディスクＤＫ２は、各情報記録層においてリードインエリアＬＡとデータエリアＤＡとの間に一定の長さを有する領域の調整層ＢＡ１乃至調整層ＢＡ４をそれぞれ備えている。当該調整層ＢＡ１乃至調整層ＢＡ４は、隣接するデータエリアに含まれる反射層と同一の反射率及び透過率を有する。
【００６１】
多層ディスクを作成する場合、各層のセンターはセンタリング誤差（Δｄ）を有する。そのため記録再生エリアにおいて反射層の始まりが全情報記録層でそろわない場合がある。そこで記録再生エリアの内周部にセンタリング誤差Δｄより大きい調整層を設ける。この調整層は隣接するユーザデータエリアの反射層と同一の反射率及び透過率を有する反射層が形成されている。
【００６２】
この調整層を設けることによって各層一様な盤面パワーと戻り光量が得られるため、ディスク最内周部での記録再生に不具合が生じることが無い。
【００６３】
なお、センタリング誤差としては、次世代高密度ＤＶＤにあっては７０μｍ程度が想定されることから、その場合当該調整層は１００μｍ以上の長さを備えることによりその効果が高くなる。
【図面の簡単な説明】
【図１】従来技術の問題点を示す図である。
【図２】実施形態に係る光ディスクの平面図である。
【図３】データエリアＤＡ１の半径方向の断面図である。
【図４】第１実施形態にかかる光ディスクの断面構造を示す図である。
【図５】実施形態に係る情報記録再生装置の概要構成を示すブロック図である。
【図６】実施形態に係る情報記録再生装置のフォーカスサーボ動作を示すフローチャートである。
【図７】第２実施形態に係る光ディスクの断面図である。
【符号の説明】
ＤＫ１、ＤＫ２・・・光ディスク
Ｂ・・・光ビーム
ＬＡ・・・リードインエリア
ＤＡ・・・ユーザデータエリア
Ｌ１、Ｌ２、Ｌ３、Ｌ４・・・情報記録層
ＲＦ１、ＲＦ２、ＲＦ３、ＲＦ４・・・反射層
ＲＣ１・・・記録層
ＰＲ１・・・保護層
１・・・基板
２・・・カバー層
１１・・・ピックアップ
１２・・・ＲＦアンプ
１３・・・デコーダ
１４・・・ＣＰＵ
１５・・・レーザパワーコントローラ
１６・・・ＡＰＣ
１７・・・サーボコントローラ
１８・・・ドライバ
１９・・・アクチュエータ
２０・・・入力部
ＢＡ１、ＢＡ２、ＢＡ３、ＢＡ４・・・調整層
【図１】
2004152398.tif 000003
【図２】
2004152398.tif 000004
【図３】
2004152398.tif 000005
【図４】
2004152398.tif 000006
【図５】
2004152398.tif 000007
【図６】
2004152398.tif 000008
【図７】
2004152398.tif 000009